(57)【要約】【課題】従来から普及している２穴用の穴開け具を利用して、６穴も簡単に開けることができる綴じ込み穴開け具の提供を課題とする。【解決手段】シートに綴じ込み用の穴を開けるための綴じ込み穴開け具であって、基台１０と該基台１０に片持ち枢支されるレバー体２０とを備え、前記基台１０には雌穴刃１２を一定の間隔で２穴設けると共に前記レバー体２０には前記２穴の雌穴刃１２に対応して雄突刃２２を２つ設け、前記レバー体２０を押し下げることで、主としてシートに２穴の綴じ込み用穴を同時開口するものにおいて、前記基台１０の上面のうち前記雌穴刃１２の２穴がある位置の中間領域を利用して、該中間領域に６穴の綴じ込み用穴をシートに開けるための基準目印Ｆ、Ｒ１〜Ｒ３、Ｌ１〜Ｌ３を設けた。【選択図】      図１
0003163005.tif 000002
【実用新案登録請求の範囲】
【請求項１】
シートに綴じ込み用の穴を開けるための綴じ込み穴開け具であって、基台と該基台に片持ち枢支されるレバー体とを備え、前記基台には雌穴刃を一定の間隔で２穴設けると共に前記レバー体には前記２穴の雌穴刃に対応して雄突刃を２つ設け、前記レバー体を押し下げることで、主としてシートに２穴の綴じ込み用穴を同時開口するものにおいて、前記基台の上面のうち前記雌穴刃の２穴がある位置の中間領域を利用して、該中間領域に６穴の綴じ込み用穴をシートに開けるための基準目印を設けたことを特徴とする綴じ込み穴開け具。
【請求項２】
基準目印は、シートを基台上にセットして穴を開ける際に、シートの右辺を合わせるための３本の右辺用基準ラインと、シートの左辺を合わせるための３本の左辺用基準ラインとを有することを特徴とする請求項１に記載の綴じ込み穴開け具。
【請求項３】
基準目印は、シートを基台上にセットして穴を開ける際に、シートの先端辺を合わせるための先端用基準ラインを有することを特徴とする請求項２又は３に記載の綴じ込み穴開け具。
【請求項４】
基準目印を印刷した基準目印シートを基台上面の中間領域に貼り付けてあることを特徴とする請求項１〜３の何れかに記載の綴じ込み穴開け具。
【考案の詳細な説明】
【技術分野】
【０００１】
本考案は、綴じ込み穴開け具に関し、より詳細には、シートに綴じ込み用の穴を開けるための綴じ込み穴開け具に関する。
【背景技術】
【０００２】
従来、シートの綴じ込み用の穴を開ける穴開け具として、１回に１穴を開けることができる１穴用の穴開け具、１回に２穴を同時に開けることができる２穴用の穴開け具、１回に６穴を同時に開けることができる６穴用の穴開け具、その他の穴開け具が提供されている。
前記の穴開け具のうち、２穴用の穴開け具は、綴じ込みが確実にできる最小の穴を１度に開けることができるものとして、一番の普及品として安価に提供されている。
一方、６穴式のバインダーや、６穴式のファイル等も、それなりに普及している。しかし６穴式のバインダー等にシートを追加したい場合には、これまでは、６穴が開けられた市販シートを買うか或いは６穴用の穴開け具を用意しなければならず、非常に不便であった。
特開平１０−３３７６９４号公報（特許文献１）には、とじ込み穴開け具用定規として、書類に綴じ込み穴を開ける際に、書類に対する穴あけ具のセット位置を容易にする定規が開示されている。
特開２０００−４２９９８号公報（特許文献２）には、用紙とじ具付き用紙穴開け具として、用紙の穴開けと用紙をとじる針を曲げる工程を同時にするものが開示されている。
特開２００２−２７３６９７号公報（特許文献３）には、多機能パンチとして、１台のパンチ器で１穴から６穴まで開けることができるものが開示されている。
【先行技術文献】
【特許文献】
【０００３】
【特許文献１】特開平１０−３３７６９４号公報
【特許文献２】特開２０００−４２９９８号公報
【特許文献３】特開２００２−２７３６９７号公報
【考案の概要】
【考案が解決しようとする課題】
【０００４】
上記特許文献１のとじ込み穴開け具用定規は、種々の寸法のシートに対して、適切な穴開け具の位置を提供する定規であるが、穴開け具による穴の数を増やしたりするのに役立つものではない。
また特許文献２の用紙とじ具付き用紙穴開け具は、シートの穴開けと綴じ込みを同時にすることができるものであるが、これもシートに開ける穴の数を増減するのに適したものではない。
また特許文献３の多機能パンチは、１台のパンチ器で１穴から６穴まで、６種類の穴を開けることができるものである。しかしベース（２）の上に２穴のパンチ孔（５）と６穴のパンチ孔（５）を設けるものであり、構造が複雑となる上、操作も安全とは言えないものである。また指標部（１０、１１）を設けて穴を開けるようにすることも開示されているが、２穴のパンチ孔（５）を設ける側では６穴を開けることができず、６穴を開けるときは６穴のパンチ孔（５）を設けた側を用いなければならない。
【０００５】
そこで本考案は上記従来における問題点を解決し、従来から普及している２穴用の穴開け具を利用して、６穴も簡単に開けることができる綴じ込み穴開け具の提供を課題とする。
【課題を解決するための手段】
【０００６】
上記課題を解決する本考案の綴じ込み穴開け具は、シートに綴じ込み用の穴を開けるための綴じ込み穴開け具であって、基台と該基台に片持ち枢支されるレバー体とを備え、前記基台には雌穴刃を一定の間隔で２穴設けると共に前記レバー体には前記２穴の雌穴刃に対応して雄突刃を２つ設け、前記レバー体を押し下げることで、主としてシートに２穴の綴じ込み用穴を同時開口するものにおいて、前記基台の上面のうち前記雌穴刃の２穴がある位置の中間領域を利用して、該中間領域に６穴の綴じ込み用穴をシートに開けるための基準目印を設けたことを第１の特徴としている。
また本考案の綴じ込み穴開け具は、上記第１の特徴に加えて、基準目印は、シートを基台上にセットして穴を開ける際に、シートの右辺を合わせるための３本の右辺用基準ラインと、シートの左辺を合わせるための３本の左辺用基準ラインとを有することを第２の特徴としている。
また本考案の綴じ込み穴開け具は、上記第１又は第２の特徴に加えて、基準目印は、シートを基台上にセットして穴を開ける際に、シートの先端辺を合わせるための先端用基準ラインを有することを第３の特徴としている。
また本考案の綴じ込み穴開け具は、上記第１〜第３の特徴に加えて、基準目印を印刷した基準目印シートを基台上面の中間領域に貼り付けてあることを第４の特徴としている。
【考案の効果】
【０００７】
請求項１に記載の綴じ込み穴開け具によれば、普及品として一番便利で安価な２穴用の穴開け具を用いて、６穴も形成することができるので、６穴用バインダーに綴じるためのシートを簡単に作成することができ、非常に便利である。
また構造は、２穴用の穴開け具の基台上面の雌穴刃の中間領域を利用して、そこに６穴の基準目印を設けるだけであるので、これまでの２穴用の穴開け具の構造を実質的にほとんど変更する必要もない。よって２穴に穴開け用として安定した作用、効果を引き続き保持しながら、６穴用にも使用できるという大きなメリットを享受することができる。
勿論、従来の２穴用の穴開け具とほとんど同じで済むので、普及品の一部変更として、安定した性能のものを十分に安価に提供することができる。
【０００８】
請求項２に記載の綴じ込み穴開け具によれば、上記請求項１の構成による作用効果に加えて、基準目印は、シートを基台上にセットして穴を開ける際に、シートの右辺を合わせるための３本の右辺用基準ラインと、シートの左辺を合わせるための３本の左辺用基準ラインとを有するので、
前記３本の右辺用基準ラインを用いて、シートの右辺を３本の右辺用基準ラインに順次合わせ、レバー体を押し下げることで、左側にある雌穴刃とそれに対応する雄突刃とにより、６穴のうちの右側の３穴を順次シートに開けることができる。同様にして、３本の左辺用基準ラインを用いて、シートの左辺を左辺用基準ラインに順次合わせ、レバー体を押し下げることで、右側にある雌穴刃とそれに対応する雄突刃とにより、６穴のうちの左側の３穴を順次シートに開けることができる。
基準目印を、右辺用基準ライン、左辺用基準ラインとして、基台上の前記一対の雌穴刃の中間位置に設けることで、該中間位置の平面上にシートを安定して載せることができると共に基準ラインによりシートの辺を正確に合わせることができ、各６個の穴をそれぞれ正確な位置に開けることが可能となる。
【０００９】
請求項３に記載の綴じ込み穴開け具によれば、上記請求項１の構成による作用効果に加えて、基準目印は、シートを基台上にセットして穴を開ける際に、シートの先端辺を合わせるための先端用基準ラインを有するので、
前記先端用基準ラインを用いて、シートの先端をそのラインに合わせることで、シート先端からの各穴の距離を容易に一致させることができる。この先端用基準ラインは、本来の２穴用の穴開け具に設けられるシート先端用基準ラインを兼用することができるので、非常に便利である。この先端用基準ラインは、シート先端が当接する段部や立壁の立上り部のラインであってもよい。
【００１０】
請求項４に記載の綴じ込み穴開け具によれば、上記請求項１〜３の何れかに記載の構成による作用効果に加えて、基準目印を印刷した基準目印シートを基台上面の中間領域に貼り付けてあることにより、
前記基準目印を印刷した基準目印シートを、これまで通りに製造された２穴用の穴開け具に貼り付けるだけでよいので、製造が非常に簡単であり、僅かな追加コストで６穴用にも使用できるメリットがある。
【図面の簡単な説明】
【００１１】
【図１】本考案の実施形態に係る綴じ込み穴開け具の全体斜視図である。
【図２】本考案の実施形態に係る綴じ込み穴開け具の基台の平面図である。
【図３】本考案の実施形態に係る綴じ込み穴開け具により６穴を開けられたシートの例を示す平面図である。
【考案を実施するための形態】
【００１２】
以下の図面を参照して、本考案に係る綴じ込み穴開け具を説明し、本考案の理解に供する。しかし、以下の説明は本考案の実用新案登録請求の範囲に記載の考案を限定するものではない。
【００１３】
図１〜図３を参照し、本考案に係る綴じ込み穴開け具は、シートＳに２つの綴じ込み穴を同時に開けることを本来的な目的とするものである。
綴じ込み穴開け具には、基台１０と該基台１０に片持ち枢支されるレバー体２０とを備える。
【００１４】
前記基台１０の上面には、前記レバー体２０を取り付けるための取付フレーム１１が一体に固定されている。そしてこの取付フレーム１１に枢ピン２１、２１を介して前記レバー体２０が押し下げ自在に枢支される構造となっている。
前記取付フレーム１１とレバー体２０との間には、図示しない付勢バネが介在して設けられ、これによって前記レバー体２０は、常時においては、前記枢ピン２１、２１の位置を中心に、レバー体２０の後端側の自由端２０ａが上方に押し上げられた状態に保持される。
そして前記レバー体２０を前記付勢バネに抗して押し下げることで、後述する雄突刃２２が降下して雌穴刃１２に浸入し、基台１０上にセットされたシートＳに穴が開けられる。
【００１５】
雌穴刃１２は、図２を参照して、前記基台１０上面に一定の間隔で２ヶ所に、２穴として設けられている。
一方、前記雄突刃２２は、前記一対の雌穴刃１２、１２にそれぞれ対応して、レバー体２０に設けられている。
雄突刃２２、２２は、それぞれレバー体２０に取付ピン２３を介して取り付けられ、前記雌穴刃１２に対して垂直に侵入できるように構成されている。
【００１６】
以上で説明した２穴用の綴じ込み穴開け具の構成は、従来公知の構成である。例えばＡ４のシートＳの長辺の中央を基台１０に設けられた三角印１３に合わせて、レバー体２０を押し下げることで、Ａ４のシートＳの長辺の中央に一定の間隔で２穴が同時開口される。このようにして２穴が形成されたシートＳは、２穴用のバインダーやファイルに綴じ込むことができる。
【００１７】
本考案は、このような２穴用の綴じ込み穴開け具に６穴の穴開け機能を付加したものである。
即ち本考案では、基台１０の上面のうち、前記雌穴刃１２の２穴がある位置の中間領域Ａを利用して、該中間領域Ａに６穴の綴じ込み用穴をシートＳに開けるための基準目印を設けている。
前記中間領域Ａに基準目印を設けることで、一対の雌穴刃１２、１２（雄突刃２２、２２）が設けられた２穴用の綴じ込み穴開け具を用いて、所定の６穴を開口する場合でも、必要な穴を開ける際に、不要なもう１つの穴が開いてしまうのを避けることができる。
また中間領域Ａを利用してシートＳのセットを行うことができるので、シートＳを平らな面にセットでき、その分だけ穴開けを安定して正確に行うことができる。若し１穴用の綴じ込み穴開け具を利用する場合は、雌穴刃の周囲にそれほど広い平坦面は構成されていないので、シートＳのセットが安定して行うことができなくなる。また基準目印を設けるスペースが確保できない。
【００１８】
前記６穴用の基準目印は、本実施形態においては、右辺用基準ラインＲ１、Ｒ２、Ｒ３、左辺用基準ラインＬ１、Ｌ２、Ｌ３、及び先端用基準ラインＦとして設けている。
前記右辺用基準ラインＲ１、Ｒ２、Ｒ３は、それぞれシートＳの右辺ＲＰを合わせるための線である。シートＳの右辺ＲＰを右辺用基準ラインＲ１に合わせ、レバー体２０を押し下げれば、シートＳにｒ１で示す右穴が開く。同様にシートＳの右辺ＲＰを右辺用基準ラインＲ２に合わせ、レバー体２０を押し下げれば、シートＳにｒ２で示す右穴が開く。またシートＳの右辺ＲＰを右辺用基準ラインＲ３に合わせ、レバー体２０を押し下げれば、シートＳにｒ３で示す右穴が開く。
一方、前記左辺用基準ラインＬ１、Ｌ２、Ｌ３は、それぞれシートＳの左辺ＬＰを合わせるための線である。シートＳの左辺ＬＰを左辺用基準ラインＬ１に合わせ、レバー体２０を押し下げれば、シートＳにｌ１で示す左穴が開く。同様にシートＳの左辺ＬＰを左辺用基準ラインＬ２に合わせ、レバー体２０を押し下げれば、シートＳにｌ２で示す左穴が開く。またシートＳの左辺ＬＰを左辺用基準ラインＬ３に合わせ、レバー体２０を押し下げれば、シートＳにｌ３で示す左穴が開く。
前記右辺用基準ラインＲ１、Ｒ２、Ｒ３及び左辺用基準ラインＬ１、Ｌ２、Ｌ３は、各右穴ｒ１、ｒ２、ｒ３及び各左穴ｌ１、ｌ２、ｌ３が、シートＳ上の予め定められた所定の６穴の位置に正確に開口され、６穴用のバインダーやファイルに正確に綴じ込むことができるように、予めその線の位置が定められることになる。
更に前記先端用基準ラインＦは、シートＳの先端辺Ｆｐを合わせるための線である。先端辺Ｆｐを先端用基準ラインＦに合わせることで、開口される各穴ｒ１、ｒ２、ｒ３、ｌ１、ｌ２、ｌ３の先端辺Ｆｐからの距離を揃えることができる。なお先端用基準ラインＦは、基台１０の上面に２穴形成用のシートＳの先端用基準ラインとして形成された段部１４の立ち上がり部（段部の下端線）を兼用すれば、別途構成しなくても済む。
【００１９】
前記右辺用基準ラインＲ１、Ｒ２、Ｒ３、左辺用基準ラインＬ１、Ｌ２、Ｌ３、及び先端用基準ラインＦ等の基準目印は、これを印刷した基準目印シートとして別途用意し、この基準目印シートを、綴じ込み穴開け具の製造時、若しくはその後に、基台１０の上面の前記中間領域Ａに貼り付けた状態とすることができる。このような基準目印シートを用いることで、元の２穴用の綴じ込み穴開け具についての設計変更を全く或いはほとんどすることなく、所定の６穴用のバインダーやファイルにも適用することができる、非常に便利な綴じ込み穴開け具を得ることができる。
【産業上の利用可能性】
【００２０】
本考案は綴じ込み穴開け具として、２穴用のバインダーやファイルに綴じ込むことができるシートを容易に形成することができるものとして、他の綴じ込み穴開け具と同様に産業上の利用性がある。
【符号の説明】
【００２１】
１０        基台
１１        取付フレーム
１２        雌穴刃
１３        三角印
１４        段部
２０        レバー体
２０ａ      自由端
２１        枢ピン
２２        雄突刃
２３        取付ピン
Ａ          中間領域
Ｆ          先端用基準ライン
Ｒ１〜Ｒ３  右辺用基準ライン
Ｌ１〜Ｌ３  左辺用基準ライン
Ｆ          先端用基準ライン
ｒ１〜ｒ３  右穴
ｌ１〜ｌ３  左穴
Ｒｐ        右辺
Ｌｐ        左辺
Ｆｐ        先端辺
Ｓ          シート
【図１】
0003163005.tif 000003
【図２】
0003163005.tif 000004
【図３】
0003163005.tif 000005